(57)【要約】【課題】縦軸型の水中撹拌機において、運用コストを抑制しつつ、水面から浮遊物を除去する。【解決手段】縦軸型の撹拌装置１は、モータ３１と、モータ３１に駆動連結されかつ、水面Ｗｓから露出した露出部２１と、水面Ｗｓ下に浸漬した浸漬部２２とを有するように上下に延設されたシャフト２と、浸漬部２２に取り付けられた第１インペラ４と、を備えている。第１インペラ４は、シャフト２と一体的に回転することにより、下向きまたは外向きの水流を発生させることで、貯留槽１００内の水面Ｗｓ上に、シャフト２の周囲からシャフト２へ向かって流れる下降流Ｆ４を含んだ循環流Ｆを発生させるよう構成されており、シャフト２のうち露出部２１と浸漬部２２との境界を含んだ部分には、シャフト２が回転したときに、シャフト２付近の水面Ｗｓに浮かぶとスカムと接触しかつ、該スカムを水面Ｗｓから除去するように構成された第２インペラ５が設けられている。【選択図】図１
2018015705.tif 000002
【特許請求の範囲】
【請求項１】
槽内の水を撹拌するように構成された縦軸型の撹拌装置であって、
モータと、
前記モータに駆動連結されかつ、水面から露出した露出部と、水面下に浸漬した浸漬部とを有するように上下に延設されたシャフトと、
前記浸漬部に取り付けられたインペラと、を備え、
前記インペラは、前記シャフトと一体的に回転することで下向きまたは外向きの水流を発生させることにより、前記槽内の水面から下方に向かって、前記シャフトに沿って流れる水流と、前記槽内の水面上に、前記シャフトの周囲から該シャフトへ向かって流れる水流とを発生させるよう構成されており、
前記シャフトのうち前記露出部と前記浸漬部との間の境界付近の部分には、前記シャフトの回転に伴い動作する除去具が設けられ、
前記除去具は、前記シャフトが回転したときに、該シャフト付近の水面に浮かぶスカムと接触しかつ、該スカムを前記水面から除去するように構成されている撹拌装置。
【請求項２】
請求項１に記載の撹拌装置において、
前記除去具は、水面から露出した上端部と、水面下に浸漬した下端部とを有している撹拌装置。
【請求項３】
請求項１又は請求項２に記載の撹拌装置において、
前記除去具は、上下方向の取付位置を変更可能に構成されている撹拌装置。
【請求項４】
請求項１から請求項３のいずれか１つに記載の撹拌装置において、
前記除去具は、前記スカムを水面下に押し込むように動作する撹拌装置。
【請求項５】
請求項１から請求項３のいずれか１つに記載の撹拌装置において、
前記除去具は、前記スカムに対して繰り返し衝突するように動作する撹拌装置。
【請求項６】
請求項１から請求項３のいずれか１つに記載の撹拌装置において、
前記除去具は、前記スカムを掬い上げた後、該スカムと水面とを衝突させるように動作する撹拌装置。
【請求項７】
請求項１から請求項６のいずれか１つに記載の撹拌装置において、
前記スカムと前記除去具とが一体的に動作するのを抑制するよう構成された固定具を備えている撹拌装置。
【発明の詳細な説明】
【技術分野】
【０００１】
ここに開示する技術は、特に縦軸型の撹拌装置に関する。
【背景技術】
【０００２】
特許文献１には、縦軸型の撹拌装置を備えたシステムが記載されている。具体的に、特許文献１に係る撹拌装置（撹拌機構）は、水槽（反応槽）に貯留している処理流体（汚水）を撹拌するように構成されており、詳しくは、モータ（電動機）と、モータの出力軸に接続されかつ、鉛直方向に垂下されたシャフト（回転軸）と、シャフトの先端に接続されたインペラ（羽根車）と、を備えている。このインペラは、処理流体（汚水）中に浸漬しており、モータが作動することにより、シャフトと一体的に回転するようになっている。特許文献１に係る撹拌装置は、インペラを回転させることによって、処理流体の循環流を発生させるようになっている。
【先行技術文献】
【特許文献】
【０００３】
【特許文献１】特開２０１０−２８４６１０号公報
【発明の概要】
【発明が解決しようとする課題】
【０００４】
ところで、前記特許文献１に記載のシステムを、例えば排水処理場に設置された貯水槽に適用する場合がある。その場合、システムを使用していくうちに、槽内の水面全体にわたって、有機物由来の浮遊物（いわゆるスカム）が発生することがある。スカムの発生は、異臭等の悪影響を招く虞があるため望ましくない。
【０００５】
そこで、水面全体からスカムを除去するための方策として、スカムの後処理工程を行ったり、水に薬品を添加したりすることが考えられるものの、そのような方策は、システムの運用コストを抑制する上で不都合である。
【０００６】
ここに開示する技術は、かかる点に鑑みてなされたものであり、その目的とするところは、縦軸型の撹拌装置において、運用コストを抑制しつつ、水面全体からスカムを除去することにある。
【課題を解決するための手段】
【０００７】
ここに開示する技術は、槽内の水を撹拌するように構成された縦軸型の撹拌装置に係る。この撹拌装置は、モータと、前記モータに駆動連結されかつ、水面から露出した露出部と、水面下に浸漬した浸漬部とを有するように上下に延設されたシャフトと、前記浸漬部に取り付けられたインペラと、を備える。
【０００８】
そして、前記インペラは、前記シャフトと一体的に回転することで下向きまたは外向きの水流を発生させることにより、前記槽内の水面から下方に向かって、前記シャフトに沿って流れる水流と、前記槽内の水面上に、前記シャフトの周囲から該シャフトへ向かって流れる水流とを発生させるよう構成されており、前記シャフトのうち前記露出部と前記浸漬部との間の境界付近の部分には、前記シャフトの回転に伴い動作する除去具が設けられ、前記除去具は、前記シャフトが回転したときに、該シャフト付近の水面に浮かぶスカムと接触しかつ、該スカムを前記水面から除去するように構成されている。
【０００９】
ここで、「スカム」とは、有機物由来の浮遊物を示す。
【００１０】
この構成によると、インペラが回転すれば、槽内の水面上には、シャフトの周囲からシャフトへ向かって流れる水流が発生する。槽内の水面全体にわたって浮かぶスカムは、そうした水流に従って、シャフト付近の水面に集められる。
【００１１】
ここで、シャフトのうち露出部と浸漬部との間の境界付近に位置する部分、つまり、水面付近の部分には、シャフト付近のスカムを水面から除去するように構成された除去具が設けられている。すなわち、前述の水流に従って集められたスカムは、除去具により水面から除去される。ここで、インペラは、シャフトに沿って水面から下方へ向かって流れる水流も発生させるように構成されているから、水面から除去されたスカムを、そうした水流に従って、水中に引き込むことができる。このように、前記撹拌装置は、シャフト付近の水面にスカムを集めると共に、集めたスカムを水面から除去することができる。
【００１２】
しかも、スカムを除去する上で、後処理工程を行ったり、水に薬品を添加したりする必要が無くなるため、運用コストを抑制することもできる。
【００１３】
よって、前記の構成によれば、運用コストを抑制しつつ、水面全体からスカムを集めて除去することが可能となる。
【００１４】
前記除去具は、水面から露出した上端部と、水面下に浸漬した下端部とを有している、としてもよい。
【００１５】
この構成によれば、除去具は、水中と気中との間の境界をまたぐように配置されているから、水面に浮かぶスカムに対して、より確実に接触させることが可能になる。そのことで、水面からスカムを除去する上で有利になる。
【００１６】
また、前記除去具は、上下方向の取付位置を変更可能に構成されている、としてもよい。
【００１７】
通常、槽の仕様や用途に応じて、水面の高さは変動する。
【００１８】
この構成によれば、水面の高さに応じて、除去具の取付位置を変更することが可能になるから、槽の仕様や用途に拘わらず、スカムを除去具に接触させて、水面から除去することが可能となる。
【００１９】
また、前記除去具は、前記スカムを水面下に押し込むように動作する、としてもよい。
【００２０】
本願発明者等が様々な形状の除去具について検討した結果、得られた知見によると、こうした構成は、水面からスカムを除去する上で有効であることが判った。
【００２１】
すなわち、前記の構成によると、スカムを水面下に押し込むことで、例えばスカムを水中に拡散させることが可能になる。そのことで、水面からスカムを除去する上で有利になる。
【００２２】
また、前記除去具は、前記スカムに対して繰り返し衝突するように動作する、としてもよい。
【００２３】
本願発明者等が様々な形状の除去具について検討した結果、得られた知見によると、こうした構成もまた、水面からスカムを除去する上で有効でることが判った。
【００２４】
すなわち、前記の構成によると、除去具をスカムに衝突させることで、例えばスカムを破砕することが可能になる。そのことで、水面からスカムを除去する上で有利になる。
【００２５】
また、前記除去具は、前記スカムを掬い上げた後、該スカムと水面とを衝突させるように動作する、としてもよい。
【００２６】
本願発明者等が様々な形状の除去具について検討した結果、得られた知見によると、こうした構成もまた、水面からスカムを除去する上で有効であるあることが判った。
【００２７】
すなわち、前記の構成によると、水面をスカムに衝突させることで、例えばスカムを破砕することが可能になる。そのことで、水面からスカムを除去する上で有利になる。
【００２８】
また、前記スカムと前記除去具とが一体的に動作するのを抑制するよう構成された固定具を備えている、としてもよい
【発明の効果】
【００２９】
以上説明したように、前記撹拌装置は、運用コストを抑制しつつ、水面全体からスカムを除去することができる。
【図面の簡単な説明】
【００３０】
【図１】図１は、撹拌装置が適用された貯留槽の縦断面図である。
【図２】図２は、第２インペラ周辺の構成を拡大して示す正面図である。
【図３】図３は、第２インペラ周辺の構成を拡大して示す斜視図である。
【図４】図４は、ハネの平面図である。
【図５】図５は、ハネの取付構造を示す図である。
【図６】図６は、除去具の第１変形例を示す図である。
【図７】図７は、除去具の第２変形例を示す図である。
【図８】図８は、固定具を例示する図である。
【発明を実施するための形態】
【００３１】
以下、撹拌装置を図面に基づいて詳細に説明する。尚、以下の説明は例示である。
【００３２】
図１は、撹拌装置１が適用された貯留槽１００を示す。貯留槽１００は、側壁１０１と、底部を構成する底壁１０２とで区画されており、槽内には水が貯留している。貯留槽１００の天井は開口しており、その開口を塞いでいる蓋１０３の上に、撹拌装置１が支持されている。
【００３３】
本実施形態では、貯留槽１００は、内部に水（汚水）が流入して貯留される合併浄化槽や排水処理槽であるが、これに限らず、水が貯留されかつ、貯留した水が所定の水位に保たれる槽であれば、どのようなものであってもよい。すなわち、本実施形態に係る貯留槽１００は、水面Ｗｓの高さ位置を一定に保つように構成されている。
【００３４】
図１に示すように、撹拌装置１は、鉛直方向（上下方向）に延びるシャフト２を備えて構成された、縦軸型の撹拌装置である。撹拌装置１は、貯留槽１００内の水を撹拌するように構成されている。
【００３５】
具体的に、撹拌装置１は、電動機３と、電動機３に駆動連結された前記シャフト２と、シャフト２に取り付けられた２個のインペラ４、５とを備えて構成されている。２枚のインペラ４、５は、撹拌用のインペラ（以下、「第１インペラ」という）４と、スカム除去用のインペラ（以下、「第２インペラ」という）５とを有している。
【００３６】
貯留槽１００の蓋１０３の上面には、台座として機能するベースプレート１０４が設けられており、ベースプレート１０４上には、電動機３とシャフト２との間のカップリング等が内蔵されたケーシング６が固定されている。ケーシング６の下面にはシャフト２の基端部（上端部）が挿入されている一方、ケーシング６の上面には電動機３が据え付けられている。電動機３は、モータ３１と、モータ３１の出力軸に接続された減速機構３２とを有しており、減速機構３２の出力軸を下方に向けた姿勢で据え付けられている。シャフト２の基端部は、ケーシング６内において、減速機構３２の出力軸を介して、モータ３１に駆動連結されている。
【００３７】
シャフト２は、前述の如く、鉛直方向に延設されており、貯留槽１００内において、水面Ｗｓの上方から水面Ｗｓ下へ垂下されている。すなわち、シャフト２は、水面Ｗｓから露出した露出部２１と、水面Ｗｓ下に浸漬した浸漬部２２とを有している。電動機３が作動をすると、シャフト２は、その延設方向に延びる中心軸Ｃまわりに回転する（図１の矢印Ａを参照）。
【００３８】
第１インペラ４は、シャフト２の先端、つまり、浸漬部２２の下端に取り付けられている。この第１インペラ４は、シャフト２の先端に固定されたボス部４１と、ボス部４１の外周面に取り付けられた複数枚のハネ４２とを備えている（図２を参照）。第１インペラ４は、シャフト２と一体的に回転することにより、貯留槽１００内の水面Ｗｓから下方に向かって、シャフト２に沿って流れる下降流（水流）Ｆ１と、貯留槽１００内の水面Ｗｓ上に、シャフト２の周囲からシャフト２へ向かって流れる内向流（水流）Ｆ４とを含んだ循環流Ｆを発生させるようになっている。なお、第１インペラ４は、“インペラ”の一例である。
【００３９】
具体的に、第１インペラ４が回転をすると、第１インペラ４付近の水には下降流Ｆ１が発生する。下降流Ｆ１は、循環流Ｆのうち、シャフト２に沿って上方から下方へ流れる成分である。下降流Ｆ１は、貯留槽１００の底壁１０２付近で外向流Ｆ２となる。外向流Ｆ２は、循環流Ｆのうち、底壁１０２に沿ってシャフト２から側壁１０１へ向かって流れる成分である。外向流Ｆ２は、側壁１０１付近で上昇流Ｆ３となる。上昇流Ｆ３は、循環流Ｆのうち、側壁１０１に沿って下方から上方へ流れる成分である。上昇流Ｆ３は、水の水面Ｗ付近で内向流Ｆ４となる。内向流Ｆ４は、循環流Ｆのうち、水面Ｗに沿って側壁１０１からシャフト２へ向かって流れる成分である。内向流Ｆ４は、シャフト２付近で下降流Ｆ１と合流するようになっている。これにより、シャフト２付近には、シャフトに沿って水面Ｗｓから下方へ流れる水流が発生することになる。本実施形態では、第１インペラ４は、下向きの水流（下降流Ｆ１）を発生させることで、前述の循環流Ｆを発生させるように構成されているが、この構成には限られない。例えば、第１インペラ４が回転したときに、下向きの水流ではなく、外向きの水流を発生させることで、第１インペラ４と水面Ｗｓとの間で循環流Ｆを発生させてもよい。その場合、前述の外向流Ｆ３に対応する成分は、第１インペラ４付近で発生することになる。
【００４０】
図２は、第２インペラ５周辺の構成を拡大して示す正面図である。図２に示すように、第２インペラ５は、シャフト２のうち露出部２１と浸漬部２２との間の境界付近の部分（具体的には、当該境界を含んだ部分）に取り付けられており、シャフト２が回転したときに、その回転に伴い動作（本実施形態では回転）するように構成されている。第２インペラ５は、“除去具”の一例である。
【００４１】
図３は、第２インペラ５周辺の構成を拡大して示す斜視図である。具体的に、第２インペラ５は、２枚のハネ５１と、各ハネ５１に設けられた上下一対のフランジ５２と、各フランジ５２をシャフト２に固定するように構成された上下一対のバンド５３と、を備えて構成されている。
【００４２】
図４は、ハネ５１の平面図である。また、図５は、ハネ５１の取付構造を示す図である。図２〜図５に示すように、ハネ５１は、径方向の中央部が切り欠けられた、半円状の金属板として構成されており、水面Ｗｓに対して傾斜した姿勢で取り付けられている。詳しくは、図５に示すように、ハネ５１は、水面Ｗｓに対して傾斜角θ（尚、傾斜角θは鋭角）だけ傾斜しており、下面５１ａを水面Ｗｓに向けてかつ、上面５１ｂを水面Ｗｓとは反対側方向（斜め上方）に向けた姿勢で取り付けられている。また、図５に示すように、ハネ５１において、矢印Ａに沿う方向の前端部（上端部）５１ｃは水面Ｗｓから露出している一方、後端部（下端部）５１ｄは水中に浸漬している。２枚のハネ５１は、シャフト２を両側から挟み込むように、中心軸Ｃのまわりに１８０°位置をずらして配設されている。
【００４３】
このような構成によって、第２インペラ５が図５等に示す矢印Ａに沿って回転したとき、各ハネ５１は、それぞれの下面５１ａを回転方向の前側にして回転する。その際、ハネ５１の下面５１ａは、傾斜角θの大きさに応じて、水を斜め下方（下面５１ａに沿う方向）に押し退けつつ回転するようになっている。
【００４４】
なお、第２インペラ５の寸法のうち、特に、中心軸Ｃに対して垂直な方向の寸法Ｒ２は、第１インペラ４における同方向の寸法Ｒ１よりも短い（Ｒ２＜Ｒ１）。そうすることで、第２インペラ５が動作することにより、水流は、ほとんど発生せず、第２インペラ５を取り付けても、電動機３の動力は、大きくならない。
【００４５】
フランジ５２は、各ハネ５１の上面５１ｂに設けられた上向フランジ５２ａと、各ハネ５１の下面５１ａに設けられた下向フランジ５２ｂと、を有している。具体的に、上向フランジ５２ａは、外向きＬ字状に曲成された薄板として形成されており（図２〜図３参照）、そのＬ字の短辺に相当する部分が、ハネ５１の上面５１ｂに接合されている（図２〜図４参照）と共に、そのＬ字の長辺に相当する部分（以下、「長辺部」という）が、シャフト２の外面に沿わせるように配置されている。下向フランジ５２ｂは、ハネ５１の下面５１ａに対して、上向フランジ５２ａを上下反転した姿勢で配設されている。
【００４６】
バンド５３は帯状に形成されており、図３に示すように、フランジ５２をシャフト２の外面に締め付け固定している。これにより、第２インペラ５は、シャフト２が回転したときに、シャフト２と一体的に回転することになる。
【００４７】
なお、バンド５３の締め付けを緩めると、上向フランジ５２ａと、下向フランジ５２ｂとは、双方とも、シャフト２の外面に沿って移動させることが可能である。そのことで、第２インペラ５は、シャフト２に対して、中心軸Ｃに沿った方向（上下方向）の取付位置を変更することができる。なお、本実施形態では、第２インペラ５は、第１インペラ４に対して上下方向に間隔Ｓを空けて配設されている。
【００４８】
前述の如く、シャフト２が矢印Ａ方向に回転すると、第２インペラ５もまた、同方向に回転する。そのとき、ハネ５１の下面５１ａは、接触した浮遊物を、水と共に、斜め下方に押し退けるように動作する。これにより、例えば水面Ｗｓ上に浮かぶスカムのうち、特に、シャフト２付近において、ハネ５１の下面５１ａに接触したスカムは、水面Ｗｓ下に押し込まれることになる。このように、第２インペラ５は、シャフト２付近の水面Ｗｓに浮かぶスカムを水面Ｗｓ下に押し込むことで、そのスカムを水面Ｗｓから除去するように構成されている。
【００４９】
撹拌装置１が起動をすると、第１インペラ４が回転して、水中に循環流Ｆが発生する。循環流Ｆが発生すれば、貯留槽１００内の水面Ｗｓ上には、貯留槽１００の側壁１０１からシャフト２へ向かって流れる内向流Ｆ４が発生する。貯留槽１００内の水面Ｗｓ全体にわたって浮かぶスカムは、そうした内向流Ｆ４に従って、シャフト２付近の水面Ｗｓに集められる。
【００５０】
ここで、シャフト２のうち水面Ｗｓ付近に位置する部分には、第２インペラ５が配設されている。よって、シャフト２付近に集められたスカムは、前述の如く、第２インペラ５によって水面Ｗｓから除去される。水面Ｗｓから除去されたスカム、つまり、水面Ｗｓ下に押し込まれたスカムは、水中に拡散したり、下降流Ｆ１に従って水中に引き込まれたりする。このように、撹拌装置１は、シャフト２付近の水面Ｗｓにスカムを集めると共に、集めたスカムを水面Ｗｓから除去することができる。
【００５１】
しかも、スカムを除去する上で、後処理工程を行ったり、水に薬品を添加したりする必要が無くなるため、運用コストを抑制することもできる。
【００５２】
よって、前記の構成によれば、運用コストを抑制しつつ、水面Ｗｓ全体からスカムを集めて除去することが可能となる。
【００５３】
また、ハネ５１の前端部５１ｃは、水面Ｗｓから露出している一方、ハネ５１の後端部５１ｄは、水面Ｗｓ下に浸漬しているから、第２インペラ５は、水中と気中との間の境界をまたぐように配置されることになる。よって、水面Ｗｓ上のスカムに対して、第２インペラ５をより確実に接触させることが可能になる。そのことで、水面Ｗｓからスカムを除去する上で有利になる。
【００５４】
また、第２インペラ５と第１インペラ４との間には、上下に間隔Ｓが空いており、シャフト２以外の部材が介在しないようになっているから、第２インペラ５によって水面Ｗｓ下に押し込まれたスカムは、他の部材によって阻害されることなく、下降流Ｆ１に従ってスムースに下降するようになる。このことは、水面Ｗｓからスムースにスカムを除去する上で有効である。
【００５５】
また、水面Ｗｓの高さに応じて、第２インペラ５の取付位置を変更することができるから、貯留槽１００の仕様や用途に拘わらず、スカムを第２インペラ５に接触させて、水面Ｗｓから除去することが可能になる。
【００５６】
〈除去具の変形例〉
前記実施形態では、除去具は、２枚のハネ５１を備えた第２インペラ５として構成されていたが、これに限られるものではない。可能な範囲において、ハネの配置や形状を変更したり、インペラ以外の部品によって除去具を構成したりすることが可能である。
【００５７】
図６は、除去具の第１変形例Ｍ１を示している。この第１変形例Ｍ１は、第２インペラ５と同様に、２枚のハネを備えたインペラとして構成されているものの、各ハネには、複数の貫通孔が設けられている。すなわち、第１変形例Ｍ１に係るハネは、貫通孔が設けられているという点以外は、前述のハネ５１と同様に構成されている。第１変形例Ｍ１が図６の矢印Ａに沿って回転したとき、各ハネは、それぞれの下面を回転方向の前側にして回転する。その際、ハネの下面に接触した水は、貫通孔を介して流通することになる。よって、シャフト２が矢印Ａ方向に回転すると、第１変形例Ｍ１もまた、同方向に回転することになり、そのとき、ハネの貫通孔は、接触した浮遊物を、水と共に流通させるように動作する。よって、例えば水面Ｗｓ上に浮かぶスカムのうち、ハネの下面に衝突したスカムは、貫通孔を介して流通することにより、また、別のハネに衝突することになる、
このように除去具の第１変形例Ｍ１によると、スカムに対して繰り返し衝突することで、例えばスカムを破砕することが可能になる。そのことで、水面Ｗｓからスカムを除去する上で有利になる。
【００５８】
図７は、除去具の第２変形例Ｍ２を示している。この第２変形例Ｍ２は、第２インペラ５と同様に、２枚のハネを備えたインペラとして構成されているものの、各ハネの傾斜角が反対になっている。すなわち、第２変形例Ｍ２に係るハネは、水面Ｗｓに対して傾斜角１８０°−θ（傾斜角θは鋭角）だけ傾斜しており、矢印Ａに沿う方向の前端部は水面Ｗｓ下に浸漬している一方、後端部は水面Ｗｓから露出している。第２変形例Ｍ２が図７の矢印Ａに沿って回転したとき、各ハネは、それぞれの上面を回転方向の前側にして回転する。その際、ハネの上面は、水を斜め上方（上面に沿う方向）に掬い上げつつ回転するようになっている。よって、シャフト２が矢印Ａ方向に回転すると、第２変形例Ｍ２もまた、同方向に回転することになり、そのとき、ハネの上面は、接触した浮遊物を、水と共に掬い上げるように動作する。これにより、例えば水面Ｗｓ上に浮かぶスカムのうち、ハネの上面に接触したスカムは、掬い上げられた後、ハネの後端部から落下して水面Ｗｓに衝突することになる。
【００５９】
このように除去具の第２変形例Ｍ２によると、スカムを掬い上げて搬送した後、そのスカムを水面Ｗｓに衝突させることで、例えばスカムを破砕することが可能になる。そのことで、水面Ｗｓからスカムを除去する上で有利になる。
【００６０】
〈その他の実施形態〉
前記実施形態では、蓋１０３の上に設置されたモータ３１からシャフト２を垂下した構成について説明したが、この構成には限られない。例えば、貯留槽１００の底壁１０２の上に設置したモータと、そのモータから上方へ延設したシャフトとを組み合わせて構成してもよい。そのように構成した場合、第１インペラは、シャフトの先端ではなく、第２インペラと同様に、シャフトのうち、水面下に浸漬している部分のいずれかに取り付けられることになる。
【００６１】
また、前記実施形態では、シャフト２と、第２インペラ５をはじめとした除去具とが一体的に動作する構成について説明したが、この構成には限られない。例えば、シャフト２と、除去具とをカム機構を介して連結させることによって、シャフト２が回転をすると、除去具が例えば上下に変位することで、スカムに対して繰り返し衝突するように構成してもよい。
【００６２】
さらに、側壁１０１及び蓋１０３などに対して、スカムと除去具とが一体的に回転するのを抑制するよう構成された固定具を配設してもよい。そうした固定具を設けることで、除去具によるスカムの除去性能を高めることが可能になる。
【００６３】
図８は、固定具を例示する図である。図８に示すように、固定具は、側壁１０１から貯留槽１００の内方へ向かって延設された板状の部材Ｐ１としてもよいし、蓋１０３の下面から下方へ延設された棒状の部材Ｐ２としてもよい。固定具Ｐ１、Ｐ２は、双方とも、水中と気中との間の境界をまたぐよう配設されている。図８に示すように、固定具Ｐ１、Ｐ２を、除去具（図例では、第２インペラ５）付近の境界部（具体的には、水中と気中との間の境界部）まで延設してもよい。このような構成にすることで、循環流Ｆに従って第２インペラ５付近まで流されたスカムは、第２インペラ５と一体的に回転することなく、第２インペラ５と固定具Ｐ１、Ｐ２との間に挟まることになり、せん断力によって、スカムを破壊することが可能になる。そのことで、除去具によるスカムの除去性能を高めることが可能になる。なお、固定具の構成としては、前述の如く、板状にしてもよいし、棒状にしてもよい。また、除去具と逆向きの傾斜を持たせた構成としてもよい。
【符号の説明】
【００６４】
１００  貯留槽（槽）
１      撹拌装置
２      シャフト
２１    露出部
２２    浸漬部
３      電動機
３１    モータ
４      第１インペラ（インペラ）
５      第２インペラ（除去具）
Ｍ１    第１変形例（除去具）
Ｍ２    第２変形例（除去具）
Ｆ      循環流
Ｆ１    下降流
Ｆ４    内向流
Ｗｓ    水面
Ｐ１    固定具
Ｐ２    固定具
【図１】
2018015705.tif 000003
【図２】
2018015705.tif 000004
【図３】
2018015705.tif 000005
【図４】
2018015705.tif 000006
【図５】
2018015705.tif 000007
【図６】
2018015705.tif 000008
【図７】
2018015705.tif 000009
【図８】
2018015705.tif 000010